(57)【要約】【課題】  リマインダ機能の使い勝手および利便性を向上させる。【解決手段】  情報管理装置１が備える撮像部によって接写モードで撮像したデータを文書体のデータとして扱い、その画像データの保存の際にリマインド時に実行すべきアクションの候補を提示し選択されたアクションおよびアクションの実行タイミングをリマインダ情報として登録する。アクション実行のタイミングとなると操作者への通知と登録されたアクションを実行する。【選択図】    図１
2014186578.tif 000002
【特許請求の範囲】
【請求項１】
リマインダ機能を備えた情報管理装置であって、
自装置が備える撮像部が撮像した画像データを蓄積する画像データ蓄積手段と、
前記画像データの各々と対応付けて所定のタイミングで自装置が実行すべきアクションに係わるリマインダ情報を登録するリマインダ情報登録手段と、
前記リマインダ情報登録手段に登録するリマインダ情報の候補を提示するリマインダ候補提示手段と、を有し、
前記撮像部が所定の被写体を撮像する際の撮像モードが接写モードであった場合に、前記画像データ蓄積手段は当該撮像した画像データを文書管理に係わるフォルダに蓄積し、
前記撮像部が所定の被写体を撮像する際の撮像モードが接写モードでなかった場合に、前記画像データ蓄積手段は当該撮像した画像データを文書管理以外に係わるフォルダに蓄積し、
前記文書管理に係わるフォルダに蓄積する際に、前記リマインダ候補提示手段は予め定められた文書管理に係わる１以上のリマインダ候補を自装置が備える表示部に表示し、前記表示したリマインダ候補のいずれかが選択されたならば、当該選択されたリマインダ情報を当該画像データに関連付けて登録することを特徴とするリマインダ機能を備える情報管理装置。
【請求項２】
請求項１に記載の情報管理装置であって、
前記リマインダ情報登録手段に登録されている前記リマインダ情報毎に、当該リマインダ情報に含まれている前記アクション実行を促す所定のタイミングを監視する通知タイミング監視手段と、前記通知タイミング監視手段により、当該リマインダ情報に含まれている前記アクションを促す所定のタイミングの到来が検出されたならば、当該リマインダ情報を操作者に通知するリマインダ通知手段と、をさらに有し、
前記画像データ蓄積手段によって蓄積された画像データに前記登録したリマインド情報が指定するアクション起動タイミングが到来したならば、当該アクションを実行することを特徴とするリマインダ機能を備える情報管理装置。
【請求項３】
請求項１または請求項２に記載の情報管理装置であって、
前記リマインダ情報登録手段に登録されている前記アクションに係わるリマインダ情報には、さらに連絡先情報を含み、前記通知タイミング監視手段により、当該リマインダ情報に含まれている前記アクションを促す所定のタイミングの到来が検出されたならば、前記リマインダ通知手段により操作者に連絡先を表示し、操作者が連絡先を選択することで一操作で連絡先に対して前記アクションを実行することを特徴とするリマインダ機能を備える情報管理装置。
【発明の詳細な説明】
【技術分野】
【０００１】
本発明は、リマインダ機能を備えた情報管理装置に関する。
【背景技術】
【０００２】
現在携帯電話機やタブレット端末は、予めスケジュールと用件（以下、リマインダ情報と呼称）を登録しておき、スケジュールの時刻になるとリマインダ情報を使用者へと通知するリマインダ機能を備えている。ここでリマインダ情報とは、例えば、打ち合わせで書き出した議事内容や外出中に見かけた広告のメモ等である。  
リマインダ情報を登録する際、一般にキー入力によって操作するが、入力すべき情報が多いと手間がかかる。特許文献１には、手書きのスケジュールをスキャナで取り込むことでスケジュール登録の煩わしさを軽減させることが提案されている。
【先行技術文献】
【特許文献】
【０００３】
【特許文献１】特開２００１−８４２２８号公報
【発明の概要】
【発明が解決しようとする課題】
【０００４】
しかしながら、特許文献１の登録方法はスキャナで読み取った情報とともに、スケジュールを登録する必要があり、キー入力の操作によってスケジュールを登録する作業としての手間は変わらない。また、リマインダ機能によるアラートを発生させ後の内容確認やアクションまでは考慮していない。
【課題を解決するための手段】
【０００５】
上記課題を解決するために、本発明は、  リマインダ機能を備えた情報管理装置であって、自装置が備える撮像部が撮像した画像データを蓄積する画像データ蓄積手段と、前記画像データの各々と対応付けて所定のタイミングで自装置が実行すべきアクションに係わるリマインダ情報を登録するリマインダ情報登録手段と、前記リマインダ情報登録手段に登録するリマインダ情報の候補を提示するリマインダ候補提示手段と、を有し、前記撮像部が所定の被写体を撮像する際の撮像モードが接写モードであった場合に、前記画像データ蓄積手段は当該撮像した画像データを文書管理に係わるフォルダに蓄積し、前記撮像部が所定の被写体を撮像する際の撮像モードが接写モードでなかった場合に、前記画像データ蓄積手段は当該撮像した画像データを文書管理以外に係わるフォルダに蓄積し、前記文書管理に係わるフォルダに蓄積する際に、前記リマインダ候補提示手段は予め定められた文書管理に係わる１以上のリマインダ候補を自装置が備える表示部に表示し、前記表示したリマインダ候補のいずれかが選択されたならば、当該選択されたリマインダ情報を当該画像データに関連付けて登録することを特徴とする。
【発明の効果】
【０００６】
本発明によれば、撮像とリマインダ情報の選択の操作のみで手軽にリマインダ登録が行うことができ、リマインダ機能の使い勝手および利便性が向上する。
【図面の簡単な説明】
【０００７】
【図１】本発明による情報管理装置の機能ブロック構成図
【図２】本発明による情報管理装置の動作フローチャート図
【図３】本発明によるリマインダ情報の構成例
【発明を実施するための形態】
【０００８】
以下、図面を併用して本発明の実施形態を説明する。情報管理装置１は撮像機能およびリマインダ機能を有しており、操作者が撮像機能を接写モードで撮像した場合に、リマインダ候補を自装置が備える表示部に表示する。ここで、リマインダ候補とは、例えば、問い合わせ、電話連絡、メール、確認実施、依頼等のアクション種別リストである。前記表示したリマインダ候補のいずれかが選択されたならば、当該選択されたアクション情報を当該撮像した画像データに関連づけたリマインダ情報として登録し、当該画像データを文書管理に係わるフォルダに蓄積するとともに、リマインダの通知タイミングを監視する。前記登録されたリマインダ情報の通知タイミングが到来したならば、当該アクションを実行し、さらに当該リマインダ情報が連絡先情報を含んでいたならば、操作者に対して自装置が備える表示部に連絡先情報を表示し、操作者が連絡先を選択することで当該連絡先に対して前記アクションを実行する。
【０００９】
次に、情報管理装置１の内部ブロック構成および機能について説明する。図１は本発明による情報管理装置１の内部ブロック構成の例である。
【００１０】
情報管理装置１は、通信部１０１と、入力部１０２と、表示部１０３と、撮像部１０４と、画像データ蓄積部１０５と、文書データ記憶部１０６と、画像データ記憶部１０７と、リマインダ情報管理部１０８と、リマインダ情報記憶部１０９と、通知タイミング監視部１１０と、リマインダ通知部１１１と、を備えている。
【００１１】
通信部１０１は、有線あるいは無線の通信網を介してネットワークへ接続するためのインターフェースである。
【００１２】
入力部１０２は、操作者から各種操作を受け付けるためのキーボード、タッチセンサ等の操作パネルを備える。
【００１３】
表示部１０３は、操作者に各種情報を表示するためのＬＣＤ等の表示画面を備える。
【００１４】
撮像部１０４は、少なくとも標準モードと接写モードに切り替えることのできるカメラによる撮像を行い、撮像したデータを画像データ蓄積部１０５へと送出する。
【００１５】
画像データ蓄積部１０５は、撮像部１０４から受け取った画像データが接写モードによる撮像データか否かを判別し、接写モードでない画像データであれば画像データ記憶部１０７へ当該画像データを記憶し、接写モードによる画像データであればリマインダ情報管理部１０８へリマインダ機能の起動を通知するとともに当該画像データを文書データ記憶部１０６へ記憶させる。
【００１６】
文書データ記憶部１０６は、撮像部１０４により撮像された画像データの内、文書管理に係わる画像データを記憶する。
【００１７】
画像データ記憶部１０７は、撮像部１０４により撮像された画像データの内、文書管理以外に係わる画像データを記憶する。
【００１８】
リマインダ情報管理部１０８は、画像データ蓄積部１０５よりリマインダ機能の起動が通知されると、表示部１０３へリマインダ候補を表示する。さらに、入力部１０２より前期リマインダ候補よりアクション種別の選択と通知タイミングの入力を受信するとリマインダ情報としてアクション種別と通知タイミングと当該画像データとを関連づけてリマインダ情報記憶部１０９へと記憶させる。
【００１９】
リマインダ情報記憶部１０９は、リマインダ情報テーブル１０００を持ち、リマインダ情報管理部１０８より受け取ったリマインダ情報が記憶される。リマインダ情報記憶部１０９に記憶される内容の詳細について図３を用いて説明する。
【００２０】
図３はリマインダ情報記憶部１０９に記憶される内容を模式的に表したリマインダ情報テーブル例である。リマインダ情報記憶部１０９に記憶されるリマインダ情報テーブルは、管理番号１００１、アクション種別１００２、連絡先１００３、通知タイミング１００４、画像データファイル名１００５とから構成される。
【００２１】
管理番号１００１は、テーブル内におけるリマインダ情報毎に割り振られるユニークな番号である。
【００２２】
アクション種別１００２は、通知タイミングが到来した際に実行すべきアクションである。例えば、リマインダ情報１００６では通知音の鳴動によりアラーム通知し、リマインダ情報１００７では連絡先１００３の情報がダイヤルされた電話機能が起動される。
【００２３】
連絡先１００３は、通知タイミングが到来した際に連絡したい相手先の情報である。リマインダ情報１００７では、電話の連絡先として使用される。
【００２４】
通知タイミング１００４は、当該リマインダ情報１０００のアクションを実行する時間である。装置内の時間がこの時間を経過すると操作者への通知を行う。
【００２５】
画像データファイル名１００５は、当該リマインダ情報１０００に関連づけた画像データのファイル名である。リマインダの実行時にこの関連づけられた画像データをあわせて表示させる。
【００２６】
通知タイミング監視部１１０は、リマインダ情報記憶部１０９に記憶されているリマインダ情報毎に通知タイミングを監視する。通知タイミングが到来したならば、リマインダ通知部１１１にアラートの実行を通知し、さらにリマインダ情報に登録されているアクションの実行をリマインダ情報管理部１０８に通知する。
【００２７】
リマインダ通知部１１１は、通知タイミング監視部１１０よりアラートの実行を通知されると操作者に対する通知を行う。通知の方法としては、例えば、通知音の鳴動や振動による通知である。
【００２８】
図２は、本発明による情報管理装置１の動作フローチャート図である。以下、図１を併用して、情報管理装置１が撮像してリマインダ情報を登録、通知タイミングを検出してリマインダに登録されたアクションを実行する動作について説明する。
【００２９】
本フローチャートは、情報管理装置１の電源が投入され、通知タイミング監視部１１０の機能が起動された時に開始する（Ｓ１００）。
【００３０】
まず、操作者によって撮像が行われる（Ｓ１０１）、または予め設定された通知タイミングが到来する（Ｓ１０９）の何れかを待つ。
【００３１】
操作者によって撮像が行われた場合（Ｓ１０１：Ｙｅｓ）、画像データ蓄積部１０５は撮像部１０４より画像データを受信し、撮像モードが接写モードか否かを判定する（Ｓ１０２）。
【００３２】
接写モードの撮像であったならば（Ｓ１０２：ＹＥＳ）、画像データ蓄積部１０５は前期画像データを文書管理に係わる文書データ記憶部１０８へと蓄積し、リマインダ情報管理部１０８へリマインダ候補の表示を通知する。当該リマインダ候補の表示を通知されたリマインダ情報管理部１０８は表示部１０３へ予め定められたリマインダ候補を表示し（Ｓ１０４）、操作者によってリマインダ候補のいずれかが選択されるのを待つ（Ｓ１０５）。操作者により選択されたリマインダ候補がアクション種別であったならば（Ｓ１０６：ＹＥＳ）、リマインダ情報管理部１０８は、当該選択されたリマインダ候補のアクションを実行する通知タイミングの入力画面を表示し、通知タイミング情報の入力を待つ（Ｓ１０７）。通知タイミングが入力されたならば（Ｓ１０７：ＹＥＳ）、これらのアクション種別、通知タイミング、前記撮像した画像データファイル名を結びつける（Ｓ１０８）。
【００３３】
さらに、前期アクション種別が連絡先情報を要するアクションであれば（Ｓ１０９：ＹＥＳ）、連絡先登録画面を表示し、連絡先情報の入力を待つ（Ｓ１１０）。連絡先情報が入力されたならば（Ｓ１０９：ＹＥＳ）、リマインダ情報の１つとして連絡先情報を追加する（Ｓ１１１）。リマインダ情報管理部１０８は、操作者によるリマインダ情報の入力が完了するとリマインダ情報をリマインダ情報記憶部１０９へと登録し、通知タイミング監視部１１０に新規の通知タイミングを設定する（Ｓ１１２）。
【００３４】
接写モード以外の撮像であったならば（Ｓ１０２：ＮＯ）、画像データ蓄積部１０５は撮像部１０４から受信した画像データを文書管理以外に係わる画像データ記憶部１０７へと蓄積する（Ｓ１０３）。
【００３５】
通知タイミングが到来したならば、（Ｓ１１３：ＹＥＳ）、通知タイミング監視部１１０は直ちにリマインダ通知部１１１へアラートの実行を通知しリマインダ通知部１１１は操作者への通知を行う（Ｓ１１４）。さらに通知タイミング監視部１１０はリマインダ情報管理部１０８へと当該リマインダ情報を通知する。リマインダ情報管理部１０８は、前記リマインダ情報を受信するとリマインダ情報に登録された画像データを文書管理に係わる文書データ記憶部１０６より読み出し表示部１０３へ表示すると共に、前記リマインダ情報に登録されたアクションを実行する（Ｓ１１５）。ここでさらに前記リマインダ情報に連絡先情報が含まれていたならば（Ｓ１１６：ＹＥＳ）、連絡先を表示部１０３へと表示し（Ｓ１１７）、操作者の選択を待つ（Ｓ１１８）。操作者により連絡先を選択されたならば（Ｓ１１８：ＹＥＳ）、通信部１０１より当該リマインダ情報に登録されたアクションで連絡先に対しての発信を行う（Ｓ１１９）。連絡先への発信とは、例えば電話発信やメール送信である。
【００３６】
ここで、リマインダ候補の表示を行う方法として撮像モードの検出としたが、それ以外に、特定のボタン押下や設定により予めモードを選択するといった方法でも良い。
【００３７】
以上、本発明の実施形態の一例を説明した。
【００３８】
本発明において、情報管理装置１は、画像データ蓄積部１０５が接写モードでの撮像を検出するとリマインダ情報管理部１０８に通知しリマインダ候補を表示させる。操作者によって、アクション種別および通知タイミングが選択されると撮像した画像データと関連づけてリマインダ情報をリマインダ情報記憶部１０９に記憶する。
【００３９】
これにより、本発明によれば、思い出したい情報をキー入力でなく撮像の１アクションで実行できる上にリマインダ候補の選択といった手軽な操作によりリマインダ情報を登録でき、リマインダ機能の使い勝手および利便性を向上できる。
【００４０】
また、本発明において、情報管理装置１は、通知タイミング監視部１１０により各リマインダ情報の通知タイミングの到来を監視し、リマインダ情報の通知タイミングが到来したならば、リマインダ情報管理部１０８に通知し、文書データ記憶部１０６より当該リマインダ情報に基づいて関連づけられた画像データの表示およびアクション種別に登録されたアクションを実行する。
【００４１】
これにより、本発明によれば、思い出したい情報の表示とともに実行したいアクションまでの流れが一息になされ、リマインダ機能の使い勝手および利便性を向上できる。  また、本発明において、情報管理装置１は、連絡先情報が含まれたリマインダ情報の通知タイミングが到来したならば、当該リマインダ情報の画像データと併せて連絡先を表示し、操作者が連絡先を選択することで当該連絡先に対してアクションを実行する。
【００４２】
これにより、本発明によれば、リマインダ情報を見てから、さらに別のアプリケーションを起動させることなく連絡を行うことができ、リマインダ機能の使い勝手および利便性を向上できる。
【符号の説明】
【００４３】
１・・・情報管理装置
１０１・・・通信部
１０２・・・入力部
１０３・・・表示部
１０４・・・撮像部
１０５・・・画像データ蓄積部
１０６・・・文書データ記憶部
１０７・・・画像データ記憶部
１０８・・・リマインダ情報管理部
１０９・・・リマインダ情報記憶部
１１０・・・通知タイミング監視部
１１１・・・リマインダ通知部
【図１】
2014186578.tif 000003
【図２】
2014186578.tif 000004
【図３】
2014186578.tif 000005